(57)【要約】【課題】動画像の質の低下を抑制しつつ動画像を表示する際の表示特性を向上させることを可能とする。【解決手段】動画像表示装置は、複数の表示素子と複数の表示素子を駆動する駆動部とを備える。複数の表示素子は、マトリクス状に配置され、所定の行数の前記表示素子をそれぞれ含むｉ（ｉは２以上の整数）個の表示素子グループに組み分けされている。駆動部は、ｉ個の表示素子グループのそれぞれについて並列的に、表示素子を１行毎に順次選択すると共に、選択された表示素子に対して動画像データに応じた駆動信号を供給する。【選択図】図５
2008020601.tif 000002
【特許請求の範囲】
【請求項１】
動画像データに基づき動画像を表示する動画像表示装置であって、
マトリクス状に配置された複数の表示素子であって、所定の行数の前記表示素子をそれぞれ含むｉ（ｉは２以上の整数）個の表示素子グループに組み分けされた複数の表示素子と、
前記複数の表示素子を駆動する駆動部であって、前記ｉ個の表示素子グループのそれぞれについて並列的に、前記表示素子を１行毎に順次選択すると共に、選択された前記表示素子に対して前記動画像データに応じた駆動信号を供給する駆動部と、を備える、動画像表示装置。
【請求項２】
請求項１記載の動画像表示装置であって、
前記駆動部は、１つの前記表示素子グループに含まれるすべての前記表示素子に対する前記駆動信号の供給が行われる期間中に、少なくとも１つの他の前記表示素子グループに含まれる少なくとも１つの前記表示素子に対する前記駆動信号の供給が行われるように、前記複数の表示素子を駆動する、動画像表示装置。
【請求項３】
請求項１記載の動画像表示装置であって、
前記ｉ個の表示素子グループは、同じ行数の前記表示素子をそれぞれ含み、
前記駆動部は、各表示素子グループに共通のタイミングで、前記表示素子の選択および前記表示素子に対する前記駆動信号の供給を行う、動画像表示装置。
【請求項４】
請求項１ないし請求項３のいずれかに記載の動画像表示装置であって、さらに、
前記動画像データに基づき、前記ｉ個の表示素子グループに供給するためのｉ個の前記駆動信号を生成し、前記駆動部に対して前記ｉ個の駆動信号を並列的に出力する駆動信号出力部を備える、動画像表示装置。
【請求項５】
請求項４記載の動画像表示装置であって、
前記動画像データは、複数のフレーム画像データにより構成され、
前記駆動信号出力部は、少なくとも（ｉ−１）個の前記表示素子グループに対応付けられた前記フレーム画像データの部分を格納するデータ格納部を含む、動画像表示装置。
【請求項６】
請求項１ないし請求項５のいずれかに記載の動画像表示装置であって、さらに、
前記複数の表示素子に光を照射して画像を表す画像光を生成する光源部と、
前記駆動部が前記複数の表示素子に前記駆動信号を供給している期間には、他の期間と比較して前記光源部の照射光の輝度が低下するように、前記光源部を制御する光源制御部と、を備える、動画像表示装置。
【請求項７】
請求項６記載の動画像表示装置であって、
前記光源制御部は、前記他の期間には、前記光源部の照射光の輝度を変化させる制御を行わない場合と比較して前記光源部の照射光の輝度が増大するように、前記光源部を制御する、動画像表示装置。
【請求項８】
動画像データに基づき動画像を表示する動画像表示方法であって、
（ａ）マトリクス状に配置された複数の表示素子であって、所定の行数の前記表示素子をそれぞれ含むｉ（ｉは２以上の整数）個の表示素子グループに組み分けされた複数の表示素子を、準備する工程と、
（ｂ）前記複数の表示素子を駆動する工程であって、前記ｉ個の表示素子グループのそれぞれについて並列的に、前記表示素子を１行毎に順次選択すると共に、選択された前記表示素子に対して前記動画像データに応じた駆動信号を供給する工程と、を備える、動画像表示方法。
【発明の詳細な説明】
【技術分野】
【０００１】
本発明は、動画像表示装置および動画像表示方法に関する。
【背景技術】
【０００２】
従来、テレビやプロジェクタ等の動画像表示装置において動画像を表示する場合、動画像中の移動体を表す部分におけるちらつき（以下「動画フリッカ」と呼ぶ）が生じる場合があった。動画フリッカは、一般に、走査によるフレーム画像の表示切り替えの際に、人間の視覚が、切り替え前のフレーム画像と切り替え後のフレーム画像との両方を同時に感じることが原因で発生すると考えられる。このような動画フリッカは、液晶パネルを用いた液晶表示装置のように、各画素が蓄積型の表示素子で構成される動画像表示装置(以下「蓄積型表示装置」と呼ぶ)において発生しやすい。
【０００３】
動画像表示装置において動画像を表示する際の表示特性を向上させるための種々の技術が開示されている（例えば特許文献１）。特許文献１には、動画像を構成する各フレーム画像を垂直方向に沿って２分の１に圧縮すると共に、表示素子アレイ上の隣接する２ライン（２行）のそれぞれに対して同時に同一の画像信号を供給する走査を行うことによって、画面全体の走査に要する期間を２分の１に短縮する技術が開示されている。フレーム周期の内、走査期間以外の期間は、黒画像を表示するブランキング期間として利用される。
【０００４】
【特許文献１】特開２００３−６６９１８号公報
【特許文献２】特開２００１−４２２８２号公報
【発明の開示】
【発明が解決しようとする課題】
【０００５】
特許文献１記載の技術では、走査期間、すなわち切り替え前のフレーム画像と切り替え後のフレーム画像との両方が同時に感じられる期間が短縮されるため、動画像表示の際の動画フリッカの発生が抑制されると考えられる。しかし、特許文献１記載の技術では、動画像を構成する各フレーム画像が垂直方向に沿って圧縮されるため、垂直解像度が低下する。そのため、特許文献１記載の技術では、動画像表示の際の表示特性を向上させることはできるものの、動画像の質が低下する恐れがあるという問題があった。
【０００６】
本発明は、上述した従来の課題を解決するためになされたものであり、動画像の質の低下を抑制しつつ動画像を表示する際の表示特性を向上させることを可能とする技術を提供することを目的とする。
【課題を解決するための手段】
【０００７】
上記課題の少なくとも一部を解決するために、本発明の動画像表示装置は、
動画像データに基づき動画像を表示する動画像表示装置であって、
マトリクス状に配置された複数の表示素子であって、所定の行数の前記表示素子をそれぞれ含むｉ（ｉは２以上の整数）個の表示素子グループに組み分けされた複数の表示素子と、
前記複数の表示素子を駆動する駆動部であって、前記ｉ個の表示素子グループのそれぞれについて並列的に、前記表示素子を１行毎に順次選択すると共に、選択された前記表示素子に対して前記動画像データに応じた駆動信号を供給する駆動部と、を備える。
【０００８】
この動画像表示装置では、駆動部が、ｉ個の表示素子グループのそれぞれについて並列的に、表示素子を１行毎に順次選択する。また、駆動部は、ｉ個の表示素子グループのそれぞれについて並列的に、選択された表示素子に対して動画像データに応じた駆動信号を供給する。そのため、この動画像表示装置では、走査期間を短縮することができ、動画フリッカの発生を抑制することができる。また、この動画像表示装置では、垂直解像度の低下が発生することがない。従って、この動画像表示装置では、動画像の質の低下を抑制しつつ動画像を表示する際の表示特性を向上させることができる。
【０００９】
上記動画像表示装置において、前記駆動部は、１つの前記表示素子グループに含まれるすべての前記表示素子に対する前記駆動信号の供給が行われる期間中に、少なくとも１つの他の前記表示素子グループに含まれる少なくとも１つの前記表示素子に対する前記駆動信号の供給が行われるように、前記複数の表示素子を駆動するとしてもよい。
【００１０】
このようにすれば、駆動部は、ｉ個の表示素子グループのそれぞれについて並列的に、表示素子を駆動することができる。
【００１１】
また、上記動画像表示装置において、前記ｉ個の表示素子グループは、同じ行数の前記表示素子をそれぞれ含み、
前記駆動部は、各表示素子グループに共通のタイミングで、前記表示素子の選択および前記表示素子に対する前記駆動信号の供給を行うとしてもよい。
【００１２】
このようにすれば、複数の表示素子をｉ個の表示素子グループに組み分けした場合において、走査期間を最短とすることができ、動画像を表示する際の表示特性をより向上させることができる。
【００１３】
また、上記動画像表示装置において、さらに、
前記動画像データに基づき、前記ｉ個の表示素子グループに供給するためのｉ個の前記駆動信号を生成し、前記駆動部に対して前記ｉ個の駆動信号を並列的に出力する駆動信号出力部を備えるとしてもよい。
【００１４】
このようにすれば、駆動部が、駆動信号出力部により並列的に出力されるｉ個の駆動信号を用いて、ｉ個の表示素子グループのそれぞれについて並列的に、表示素子の駆動を行うことができる。
【００１５】
また、上記動画像表示装置において、前記動画像データは、複数のフレーム画像データにより構成され、
前記駆動信号出力部は、少なくとも（ｉ−１）個の前記表示素子グループに対応付けられた前記フレーム画像データの部分を格納するデータ格納部を含むとしてもよい。
【００１６】
このようにすれば、駆動信号出力部が、ｉ個の駆動信号を駆動部に対して並列的に出力することができる。
【００１７】
また、上記動画像表示装置において、さらに、
前記複数の表示素子に光を照射して画像を表す画像光を生成する光源部と、
前記駆動部が前記複数の表示素子に前記駆動信号を供給している期間には、他の期間と比較して前記光源部の照射光の輝度が低下するように、前記光源部を制御する光源制御部と、を備えるとしてもよい。
【００１８】
このようにすれば、走査期間がいわゆるブランキング期間となって、動画ボケの発生が抑制される。そのため、この動画像表示装置では、動画像を表示する際の表示特性をさらに向上させることができる。
【００１９】
また、上記動画像表示装置において、前記光源制御部は、前記他の期間には、前記光源部の照射光の輝度を変化させる制御を行わない場合と比較して前記光源部の照射光の輝度が増大するように、前記光源部を制御するとしてもよい。
【００２０】
このようにすれば、動画像の照度の低下を全体として抑制することができ、動画像の質の低下を抑制しつつ動画像を表示する際の表示特性を向上させることができる。
【００２１】
なお、本発明は、種々の態様で実現することが可能であり、例えば、動画像表示方法および装置、動画像調整方法および装置、動画像補正方法および装置、動画像出力方法および装置、これらの方法、システムまたは装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２２】
次に、本発明の実施の形態を実施例に基づいて以下の順序で説明する。
Ａ．第１実施例：
Ｂ．第２実施例：
Ｃ．変形例：
【００２３】
Ａ．第１実施例：
図１は、本発明の第１実施例としての動画像表示装置１００の構成を概略的に示す説明図である。第１実施例の動画像表示装置１００は、液晶プロジェクタとして構成されている。動画像表示装置１００は、入力処理部１１０と、メモリ書込制御部１２０と、フレームメモリ１３０と、メモリ読出制御部１４０と、表示デバイス駆動部１５０と、マルチラインメモリ１６０と、表示デバイス２００と、光源ユニット１７０と、投写光学系１８０と、ＣＰＵ１９０と、を備えている。ＣＰＵ１９０は、動画像表示装置１００全体を制御する。
【００２４】
本実施例の表示デバイス２００は、後述するように、液晶パネルを用いた蓄積型の表示装置として構成されている。光源ユニット１７０は、表示デバイス２００内の液晶パネルに向けて照明光を照射する。投写光学系１８０は、光源ユニット１７０から発せられた後、表示デバイス２００内の液晶パネルによって画像を表すように変換された光（画像光）を、投写スクリーンＳＣ上に結像させることにより、投写スクリーンＳＣ上に画像を投写する。
【００２５】
入力処理部１１０は、ＤＶＤプレーヤやビデオデッキ、パーソナルコンピュータなどの外部機器からコンポジット信号やＳビデオ信号、コンポーネント信号などの映像信号を入力し、メモリ書込制御部１２０で処理可能な信号に変換する。本実施例では、入力される映像信号は、１秒あたり３０枚のフレーム画像から構成されているアナログ映像信号であるものとする。
【００２６】
入力処理部１１０は、入力された映像信号から、垂直同期信号Ｖｓや水平同期信号Ｈｓを分離すると共に、垂直同期信号Ｖｓや水平同期信号Ｈｓの周期に応じて、ＰＬＬ回路等を利用してドットクロックの生成を行う。また、入力処理部１１０は、同期信号ＳＮＫの分離されたアナログの映像信号をデジタルの映像信号に変換する。
【００２７】
メモリ書込制御部１２０は、入力処理部１１０から出力されたデジタルの映像信号に含まれるフレーム画像を、同期信号ＳＮＫに同期して順にフレームメモリ１３０に書き込む。
【００２８】
メモリ読出制御部１４０は、フレームメモリ１３０に書き込まれたフレーム画像を、同期信号ＳＮＫに同期して読み出す。また、メモリ読出制御部１４０は、必要により、読み出したフレーム画像を、後述の表示デバイス２００内の液晶パネルの解像度に適合するように拡大または縮小する。なお、フレーム画像の拡大／縮小は、メモリ書込制御部１２０がフレームメモリ１３０にフレーム画像を書き込む際に行うものとしてもよい。メモリ読出制御部１４０は、同期信号ＳＮＫと共に、フレーム画像を画像データＩＤａｔａとして表示デバイス駆動部１５０に供給する。
【００２９】
表示デバイス駆動部１５０は、マルチラインメモリ１６０を利用しつつ、メモリ読出制御部１４０から供給された画像データＩＤａｔａに基づき、表示デバイス２００を駆動する。具体的には、表示デバイス駆動部１５０は、表示デバイス２００に対し、画像データＩＤａｔａを、分割画像データＩＤａｔａ（１）〜ＩＤａｔａ（４）として供給する。なお、表示デバイス駆動部１５０およびマルチラインメモリ１６０の組合せは、本発明における駆動信号出力部に相当する。また、マルチラインメモリ１６０は、本発明におけるデータ格納部に相当する。
【００３０】
図２は、表示デバイス駆動部１５０による画像データ処理のタイミングチャートである。図２の上段には、１フレーム画像分の画像データＩＤａｔａがメモリ読出制御部１４０から表示デバイス駆動部１５０に供給されるタイミングと、画像データＩＤａｔａの同期信号ＳＮＫ（垂直同期信号Ｖｓおよび水平同期信号Ｈｓ）とを示している。本実施例では、１フレーム画像分の画像データＩＤａｔａを時間軸に沿って４分割した画像データを、分割画像データＩＤａｔａ（１）〜ＩＤａｔａ（４）と呼ぶ。また、分割画像データＩＤａｔａ（１）〜ＩＤａｔａ（４）の表す画像を分割画像（１）〜（４）と呼ぶ。
【００３１】
図３は、フレーム画像と分割画像との対応関係を概念的に示す説明図である。図３（ａ）に示すように、分割画像は、フレーム画像を垂直方向に沿って４分割した画像である。
【００３２】
表示デバイス駆動部１５０（図１）は、図２に示すように、メモリ読出制御部１４０から供給される画像データＩＤａｔａの内、最初の４分の１の部分については、データの受領と並行して、受領したデータを分割画像データＩＤａｔａ（１）としてマルチラインメモリ１６０に書き込む。これにより、マルチラインメモリ１６０には、図３（ｂ）に示すように、分割画像（１）が書き込まれる。
【００３３】
同様に、画像データＩＤａｔａの内、次の４分の１の部分については、表示デバイス駆動部１５０が、受領したデータを分割画像データＩＤａｔａ（２）としてマルチラインメモリ１６０に書き込む（図３（ｃ）参照）。画像データＩＤａｔａの内、さらに次の４分の１の部分については、表示デバイス駆動部１５０が、受領したデータを分割画像データＩＤａｔａ（３）としてマルチラインメモリ１６０に書き込む（図３（ｄ）参照）。この時点で、マルチラインメモリ１６０には、分割画像（１）〜（３）が書き込まれる。
【００３４】
その後、表示デバイス駆動部１５０は、画像データＩＤａｔａの内、最後の４分の１の部分を受領するが、図２に示すように、このときには、データの受領と並行して、受領したデータを分割画像データＩＤａｔａ（４）として表示デバイス２００に転送する。さらに、この分割画像データＩＤａｔａ（４）の転送の際には、表示デバイス駆動部１５０は、マルチラインメモリ１６０に書き込まれている分割画像データＩＤａｔａ（１）〜ＩＤａｔａ（３）の読み出しおよび表示デバイス２００への転送を並行して行う。これにより、表示デバイス駆動部１５０から表示デバイス２００に対して、分割画像データＩＤａｔａ（１）〜ＩＤａｔａ（４）が並列的に転送されることとなる。
【００３５】
また、表示デバイス駆動部１５０は、同期信号ＳＮＫに基づき、表示デバイス２００を駆動するための水平同期信号ＭＨｓ、垂直同期信号ＭＶｓ、ドットクロックＭＤＣＬＫを生成し、表示デバイス２００に供給する。なお、便宜上、水平同期信号ＭＨｓと垂直同期信号ＭＶｓとドットクロックＭＤＣＬＫとをまとめて、同期信号ＭＳＮＫとも呼ぶ。
【００３６】
図４は、表示デバイス２００の詳細構成を示す説明図である。図４に示すように、表示デバイス２００は、表示デバイス制御部２１０と、ＤＡコンバータ２２０（以下「ＤＡＣ２２０」とも呼ぶ）と、極性反転部２３０と、ビデオアンプ２４０と、液晶パネルモジュール３００と、を含んでいる。
【００３７】
表示デバイス制御部２１０は、表示デバイス駆動部１５０（図１）から供給される同期信号ＭＳＮＫに従って、ＣＰＵ１９０の制御の下、表示デバイス２００の全体を制御する。また、表示デバイス制御部２１０は、イネーブル信号ＭＥＮＢを生成し、同期信号ＭＳＮＫと共に液晶パネルモジュール３００に供給する。
【００３８】
図４に示すように、表示デバイス２００には、ＤＡＣ２２０と極性反転部２３０とビデオアンプ２４０とのセットが、４つ含まれている。この４つのセットは、４つの分割画像データＩＤａｔａ（１）〜ＩＤａｔａ（４）と対応している。すなわち、表示デバイス駆動部１５０から供給された４つの分割画像データの内、分割画像データＩＤａｔａ（１））は、１つのＤＡＣ２２０によりアナログ信号に変換され、１つの極性反転部２３０において極性反転処理に供され、１つのビデオアンプ２４０により増幅されることにより、液晶パネルモジュール３００を駆動する駆動データＤＤａｔａ（１）に変換される。駆動データＤＤａｔａ（１）は、液晶パネルモジュール３００に供給される。なお、本発明における駆動信号出力部は、本実施例において、表示デバイス駆動部１５０およびマルチラインメモリ１６０に、ＤＡＣ２２０と極性反転部２３０とビデオアンプ２４０とが付加されたものに相当するととらえることも可能である。
【００３９】
他の分割画像データ（分割画像データＩＤａｔａ（２）〜（４））についても同様に、他のＤＡＣ２２０、極性反転部２３０、ビデオアンプ２４０による処理を経て駆動データＤＤａｔａ（２）〜（４）に変換される。駆動データＤＤａｔａ（２）〜（４）も、液晶パネルモジュール３００に供給される。
【００４０】
上述したように、本実施例では、表示デバイス駆動部１５０から表示デバイス２００に対して、分割画像データＩＤａｔａ（１）〜ＩＤａｔａ（４）が並列的に転送されるため、駆動データＤＤａｔａ（１）〜（４）の液晶パネルモジュール３００への供給もまた、並列的に行われる。
【００４１】
図５は、液晶パネルモジュール３００の詳細構成を示す説明図である。図５に示すように、液晶パネルモジュール３００は、液晶パネル３１０と、水平駆動部３２０と、走査線選択回路３３０と、を含んでいる。なお、水平駆動部３２０および走査線選択回路３３０は、本発明における駆動部に相当する。
【００４２】
図５に示すように、本実施例では、液晶パネルモジュール３００に含まれる液晶パネル３１０は、４つの領域（領域（１）〜（４））に区分されている。液晶パネル３１０のそれぞれの領域には、ｍ本の走査線ＳＬとｎ本のデータ線ＤＬとの交差点のそれぞれに対応して、液晶素子３１２が、ｍ行×ｎ列のマトリクス状に配置されている。すなわち、液晶パネル３１０には、合計４ｍ行×ｎ列の液晶素子３１２が配置されている。各液晶素子３１２は、走査線ＳＬ上の信号により開閉されるスイッチ素子３１４（例えばＴＦＴを用いて構成される）を介して、データ線ＤＬと接続されており、データ線ＤＬから供給される駆動信号（電圧信号）に応じて階調表現を行う。
【００４３】
なお図５においては、液晶パネル３１０の各領域（領域（１）〜（４））を分離した位置に表現しているが、実際には、液晶パネル３１０の４つの領域は、全体として１つの液晶パネルとして機能する。また、図５では、液晶パネル３１０の領域（１）に配置された液晶素子３１２の一部および、他の領域（領域（２）〜（４））に配置された液晶素子３１２の図示を省略している。
【００４４】
また、このような液晶パネル３１０の構成は、以下のようにとらえることもできる。すなわち、本実施例では、液晶パネル３１０に配置された合計４ｍ行×ｎ列の液晶素子３１２が、ｍ行の液晶素子３１２をそれぞれ含む４つの液晶素子グループ（液晶パネル３１０の各領域に配置された液晶素子３１２の集合）に組み分けされている。
【００４５】
液晶パネルモジュール３００には、液晶パネル３１０の４つの領域に対応付けられた４つの水平駆動部３２０（水平駆動部（１）〜（４））が設けられている。各水平駆動部３２０は、シフトレジスタを用いて構成されたデータ線選択回路３２２を含んでいる。なお、図５では、液晶パネル３１０の領域（１）に対応付けられた水平駆動部（１）のみについて、内部構成を詳細に示しているが、他の水平駆動部３２０の構成も同様である。
【００４６】
また、液晶パネルモジュール３００には、１つの走査線選択回路３３０が設けられている。走査線選択回路３３０は、データ線選択回路３２２と同様に、シフトレジスタを用いて構成されている。
【００４７】
上述したように、液晶パネルモジュール３００には、液晶パネルモジュール３００を駆動するための各信号が供給される。具体的には、液晶パネルモジュール３００には、図４に示すように、表示デバイス制御部２１０から、水平同期信号ＭＨｓと垂直同期信号ＭＶｓとドットクロックＭＤＣＬＫとイネーブル信号ＭＥＮＢとが供給される。さらに、液晶パネルモジュール３００には、ビデオアンプ２４０を介して、駆動データＤＤａｔａ（１）〜（４）が供給される。
【００４８】
走査線選択回路３３０（図５）のデータ入力端子（Ｄ）には、垂直同期信号ＭＶｓが供給される。また、走査線選択回路３３０のクロック入力端子（ＣＬＫ）には、水平同期信号ＭＨｓとイネーブル信号ＭＥＮＢとを入力とするＡＮＤ回路３３２の出力が、供給される。
【００４９】
一方、各水平駆動部３２０のデータ線選択回路３２２のデータ入力端子（Ｄ）には、水平同期信号ＭＨｓが供給され、クロック入力端子（ＣＬＫ）には、ドットクロックＭＤＣＬＫが供給される。また、液晶パネル３１０の領域（１）に対応付けられた水平駆動部３２０（水平駆動部（１））には、駆動データＤＤａｔａ（１）が供給され、駆動データＤＤａｔａ（１）はさらにスイッチ素子３２６を介してデータ線ＤＬに供給される。同様に、液晶パネル３１０の領域（２）〜（４）に対応付けられた水平駆動部３２０（水平駆動部（２）〜（４））には、駆動データＤＤａｔａ（２）〜（４）が供給される。さらに、水平駆動部３２０には、イネーブル信号ＭＥＮＢが、液晶素子３１２の各列に対応して設けられたｎ個のＡＮＤ回路３２４の一方の入力として供給される。ＡＮＤ回路３２４の他方の入力は、データ線選択回路３２２の出力端子からの出力であり、ＡＮＤ回路３２４の出力端子からの出力はスイッチ素子３２６のゲートに入力される。
【００５０】
図６は、液晶パネルモジュール３００の駆動タイミングチャートである。図６には、１フレーム画像分の期間におけるタイミングチャートを示している。図６の最上段には、入力映像信号の垂直同期信号Ｖｓを示している。また、図６の下段には、いくつかの信号について、特定の期間Ｔにおける信号を拡大して示している。
【００５１】
垂直同期信号ＭＶｓは、１フレーム画像分の期間のおおよそ４分の３の時点でＨレベルとなる。垂直同期信号ＭＶｓがＨレベルとなると同時に、イネーブル信号ＭＥＮＢもＨレベルとなり、１フレーム画像分の期間のおおよそ最後までＨレベルを維持する。そのため、イネーブル信号ＭＥＮＢがＨレベルを維持している間は、走査線選択回路３３０（図５）の出力端子ＱＶ１、ＱＶ２、ＱＶ３、・・・、ＱＶｍから、水平同期信号ＭＨｓの周期で順にシフトされたＨレベルの信号が出力される。出力端子ＱＶ１、ＱＶ２、ＱＶ３、・・・、ＱＶｍは、それぞれ、液晶パネル３１０の各領域の１、２、３、・・・、ｍ行目の走査線ＳＬと接続されている。そのため、走査線選択回路３３０により、水平同期信号ＭＨｓの周期で、各領域の１行目からｍ行目までの走査線ＳＬに順にＨレベル信号が供給され、液晶素子３１２がスイッチ素子３１４を介してデータ線ＤＬと導通される。すなわち、走査線選択回路３３０により、液晶パネル３１０の各領域について並列的に、液晶素子３１２が行単位で１行目からｍ行目まで順に選択される。
【００５２】
一方、各水平駆動部３２０のデータ線選択回路３２２の出力端子ＱＨ１、ＱＨ２、ＱＨ３、・・・、ＱＨｎからは、ドットクロックＭＤＣＬＫの周期で順にシフトされたＨレベルの信号が出力される。ここで、ドットクロックＭＤＣＬＫの周期は、水平同期信号ＭＨｓの周期のｎ分の１となっている。
【００５３】
イネーブル信号ＭＥＮＢがＨレベルの期間においては、データ線選択回路３２２の出力端子ＱＨ１、ＱＨ２、ＱＨ３、・・・、ＱＨｎからの出力は、ＡＮＤ回路３２４を経てスイッチ素子３２６のゲートに供給される。そのため、スイッチ素子３２６は、ドットクロックＭＤＣＬＫの周期で、１列目からｎ列目まで順にＯＮとなる。スイッチ素子３２６がＯＮになると、駆動データＤＤａｔａがデータ線ＤＬに供給され、走査線ＳＬにより選択された行の液晶素子３１２が駆動データＤＤａｔａに応じた階調表現を行う。
【００５４】
以上のように、本実施例では、液晶パネル３１０の各領域（領域（１）〜（４））について、並列的に走査が行われる。図７は、第１実施例における走査の様子を概念的に示す説明図である。図７（ａ）には、液晶パネル３１０（図５）に、あるフレーム画像（Ｋ番目フレームのフレーム画像）が表示されている様子を示している。本実施例では、図７（ｂ）および（ｃ）に示すように、液晶パネル３１０の領域（１）〜（４）で、並列に走査が行われる。図７（ｄ）には、１フレーム画像分の走査が完了し、次のフレーム画像（（Ｋ＋１）番目フレームのフレーム画像）が表示されている様子を示している。なお、図６には、液晶パネル３１０に表示される空間画像として、Ｋ番目フレームのフレーム画像から（Ｋ＋１）番目フレームのフレーム画像に切り替わるタイミングを示している。
【００５５】
このように、本実施例では、液晶パネル３１０の各領域について、並列的に走査が行われるため、従来のように液晶パネル３１０全体で点順次の走査を行う場合と比較して、走査に要する時間が４分の１に短縮される。一般に、走査期間が短縮されると動画像表示の際の動画フリッカの発生が抑制される。そのため、本実施例の動画像表示装置１００では、動画フリッカの発生を抑制して動画像の表示特性を向上させることができる。また、本実施例の動画像表示装置１００では、液晶パネル３１０の各領域のそれぞれに専用の水平駆動部３２０が設けられ、各水平駆動部３２０に駆動データＤＤａｔａが並列に供給されるため、動画像を構成する各フレーム画像の垂直解像度が低下することがない。そのため、本実施例の動画像表示装置１００では、動画像の質の低下を抑制しつつ、動画像の表示特性を向上させることができる。
【００５６】
Ｂ．第２実施例：
図８は、本発明の第２実施例としての動画像表示装置１００ａの構成を概略的に示す説明図である。第２実施例の動画像表示装置１００ａは、光源制御部１７２を備えている点が、図１に示した第１実施例の動画像表示装置１００とは異なっている。
【００５７】
光源制御部１７２は、表示デバイス駆動部１５０から入力される光源制御信号ＬＳＣに基づき光源ユニット１７０の点灯電力を可変に制御することにより、光源ユニット１７０の輝度を可変に制御する。
【００５８】
図９は、第２実施例における液晶パネルモジュール３００（図４）の駆動タイミングチャートである。第２実施例では、液晶パネルモジュール３００の駆動の際に光源の輝度制御が行われるが、その他の駆動タイミングは第１実施例と同様である。そのため、図９に示した第２実施例における駆動タイミングチャートは、図６に示した第１実施例における駆動タイミングチャートに、光源制御のタイミングを付加したものである。
【００５９】
図９に示すように、第２実施例では、走査が行われる走査期間においては、光源制御部１７２（図８）が光源ユニット１７０の点灯電力を減少させ、光源ユニット１７０の輝度を減少させる。この期間（以下「減光期間」と呼ぶ）では、光源ユニット１７０の輝度は、輝度制御を行わない場合（以下「通常駆動時」と呼ぶ）の光源ユニット１７０の輝度と比較して小さくなる。一方、走査期間以外の期間においては、光源制御部１７２が光源ユニット１７０の点灯電力を増加させ、光源ユニット１７０の輝度を増加させる。この期間（以下「過剰点灯期間」と呼ぶ）では、光源ユニット１７０の輝度は、通常駆動時の光源ユニット１７０の輝度と比較して大きくなる。
【００６０】
本実施例では、過剰点灯期間における点灯電力Ｐｏ（Ｗ）は、下記の式（１）により算出される。過剰点灯期間において、式（１）により算出された点灯電力Ｐｏを用いて光源ユニット１７０を制御すれば、動画像全体としての照度低下を抑制することができる。
Ｐｏ＝Ｐｔｙ×（Ｔｏ＋Ｔｕ）／Ｔｏ・・・（１）
ただし
Ｐｔｙ：通常駆動時における点灯電力（Ｗ）
Ｔｏ：過剰点灯期間（ｓ）
Ｔｕ：減光期間（ｓ）
【００６１】
以上説明したように、第２実施例では、走査が行われる走査期間において、光源ユニット１７０の輝度が小さくなるように光源制御が行われる。そのため、走査期間がいわゆるブランキング期間となって、動画ボケの発生が抑制される。従って、第２実施例の動画像表示装置１００ａでは、動画像の質の低下を抑制しつつ、動画像の表示特性をさらに向上させることができる。
【００６２】
Ｃ．変形例：
なお、この発明は上記の実施例や実施形態に限られるものではなく、その要旨を逸脱しない範囲において種々の態様において実施することが可能であり、例えば次のような変形も可能である。
【００６３】
Ｃ１．変形例１：
上記各実施例では、動画像表示装置１００をプロジェクタとして構成した例を示したが、動画像表示装置１００は、液晶ディスプレイや、ブラウン管ディスプレイ、プラズマディスプレイ、ＳＥＤ等として構成することも可能である。この場合には、図１に示した表示デバイス駆動部１５０や表示デバイス２００等は、各表示装置に適合した駆動回路や表示デバイスに置き換えられる。また、光源ユニット１７０や投写光学系１８０は、不要となる場合がある。
【００６４】
Ｃ２．変形例２：
上記各実施例では、液晶パネル３１０（図５）が４つの領域に分割されているが、液晶パネル３１０を分割する数（領域数）は、２以上の整数であれば任意の数に設定可能である。上記実施例において、液晶パネル３１０は、最大４ｍ個の領域に分割することができる。液晶パネル３１０の領域数を増加させるほど、走査期間が短くできるため、動画像の表示特性をより向上させることができる。
【００６５】
また、上記各実施例では、液晶パネル３１０の４つの領域に対応した４つの水平駆動部３２０が設けられているが、必ずしも液晶パネル３１０の領域数と同じ数の水平駆動部３２０を独立して設ける必要はない。例えば、スイッチ素子３２６（図５）のみを液晶パネル３１０の各領域に対応して設け、データ線選択回路３２２およびＡＮＤ回路３２４は、各領域の共用として１つのみ設けるとすることも可能である。
【００６６】
Ｃ３．変形例３：
上記各実施例では、動画像表示装置１００において、液晶パネル３１０の各領域について、共通の（同一の）タイミングで、走査が行われている。すなわち、液晶パネル３１０の各領域において、同一のタイミングで行の選択が行われ、同一のタイミングで液晶素子３１２への駆動信号の供給が行われている。しかし、液晶パネル３１０の各領域について並列的に走査が行われれば、必ずしも共通のタイミングで走査が行われる必要はない。ここで、並列的に走査が行われるとは、液晶パネル３１０の１つの領域に含まれるすべての液晶素子３１２に対する駆動信号の供給が行われる期間中に、少なくとも１つの他の領域に含まれる少なくとも１つの液晶素子３１２に対する駆動信号の供給が行われることを意味している。
【００６７】
Ｃ４．変形例４：
上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００６８】
【図１】本発明の第１実施例としての動画像表示装置１００の構成を概略的に示す説明図である。
【図２】表示デバイス駆動部１５０による画像データ転送のタイミングチャートである。
【図３】フレーム画像と分割画像との対応関係を概念的に示す説明図である。
【図４】表示デバイス２００の詳細構成を示す説明図である。
【図５】液晶パネルモジュール３００の詳細構成を示す説明図である。
【図６】液晶パネルモジュール３００の駆動タイミングチャートである。
【図７】第１実施例における走査の様子を概念的に示す説明図である。
【図８】本発明の第２実施例としての動画像表示装置１００ａの構成を概略的に示す説明図である。
【図９】第２実施例における液晶パネルモジュール３００の駆動タイミングチャートである。
【符号の説明】
【００６９】
１００…動画像表示装置
１１０…入力処理部
１２０…メモリ書込制御部
１３０…フレームメモリ
１４０…メモリ読出制御部
１５０…表示デバイス駆動部
１６０…マルチラインメモリ
１７０…光源ユニット
１７２…光源制御部
１８０…投写光学系
１９０…ＣＰＵ
２００…表示デバイス
２１０…表示デバイス制御部
２２０…ＤＡＣ
２３０…極性反転部
２４０…ビデオアンプ
３００…液晶パネルモジュール
３１０…液晶パネル
３１２…液晶素子
３１４…スイッチ素子
３２０…水平駆動部
３２２…データ線選択回路
３２４…ＡＮＤ回路
３２６…スイッチ素子
３３０…走査線選択回路
３３２…ＡＮＤ回路
【図１】
2008020601.tif 000003
【図２】
2008020601.tif 000004
【図３】
2008020601.tif 000005
【図４】
2008020601.tif 000006
【図５】
2008020601.tif 000007
【図６】
2008020601.tif 000008
【図７】
2008020601.tif 000009
【図８】
2008020601.tif 000010
【図９】
2008020601.tif 000011